(57)【特許請求の範囲】
【請求項１】
複数の外壁パネル１を目地部２０で建物の断面Ｃ型の壁取付部５に取り付ける構造において、掛合板１３と、その掛合板１３の中央部から垂直に延長され且つ該掛合板１３より高さが小さく、先端部にコ字型に折り返された取付部１７が設けられている連結部材１４とからなり、該連結部材１４から離れた掛合板１３中央部に貫通孔１５を設けてなる取付金具１１の前記連結部材１４のコ字型に折り返された取付部１７のコ字型の間に前記断面Ｃ型の壁取付部５の折返片を掛合し、且つ目地部２０を形成する外壁パネル１のそれぞれの小口面に対向して設けられたスリツト状の挿入溝１ａに前記取付金具１１の掛合板１３の両側部をそれぞれ挿入し、さらに前記取付金具１１の掛合板１３の貫通孔１５に頭部１８と該貫通孔１５に挿入できる軸部１９を有するパネル取付部材１２を挿入して前記掛合板１３を断面Ｃ型の壁取付部５に固定したことを特徴とする外壁パネルの取付構造。
【請求項２】
複数の外壁パネル１を目地部２０で建物の断面Ｃ型の壁取付部５に取り付ける工法において、掛合板１３と、その掛合板１３の中央部から垂直に延長され且つ該掛合板１３より高さが小さく、先端部にコ字型に折り返された取付部１７が設けられている連結部材１４とからなり、該連結部材１４から離れた掛合板１３中央部に貫通孔１５を設けてなる取付金具１１の前記連結部材１４のコ字型に折り返された取付部１７のコ字型の間に前記断面Ｃ型の壁取付部５の折返片を掛合し、先ず目地部２０を形成する一方の外壁パネル１の小口面に設けたスリツト状の挿入溝１ａに前記取付金具１１の掛合板１３の片側を挿入し、次いで前記目地部２０を形成する他方の外壁パネル１の小口面に設けたスリツト状の挿入溝１ａに掛合板１３の他側を挿入して仮取付し、次いで前記取付金具１１の掛合板１３の貫通孔１５に頭部１８と該貫通孔１５に挿入できる軸部１９を有するパネル取付部材１２を挿入して前記掛合板１３を断面Ｃ型の壁取付部５に固定することを特徴とする外壁パネルの取付工法。
【発明の詳細な説明】
【０００１】
【産業上の利用分野】
この発明は複数の外壁パネルを目地部で建物の壁取付部に取り付ける構造および取付工法に関する。
【０００２】
【従来の技術】
一般に厚さの薄い外壁パネル、例えば厚さが５０ｍｍ程度より薄い軽量気泡コンクリートパネルや押出コンクリートパネルのような、いわゆる薄物のＰＣパネルからなる外壁パネルを建物の壁取付部に取り付ける場合、釘やビス等による簡便な取付方法が採用されている。
【０００３】
図７は従来採用されている外壁パネルの取付方法を示す斜視図、図６は図７の取付部分の拡大断面図である。これらの図において、外壁パネル１はＡＬＣなどの軽量気泡コンクリートパネルからなる下地層２と、その表面に設けられた塗装材等の仕上層３を有する化粧パネルであり、この化粧パネルはタッピングビス等のパネル取付部材４によりリップ溝形鋼などの胴縁からなる建物の壁取付部５に固定される。すなわち、外壁パネル１を所定の取付位置に配置して支持し、その表面からパネル取付部材４の軸部６を打ち込んで貫通し、その先端部を建物の壁取付部５にねじ込み頭部７で外壁パネル１を掛止めすることにより、外壁パネル１が壁取付部５に取り付けられる。なお、仕上層３としては塗装材のほかにタイル、天然または人造石等の硬質の材料も使用されるが、そのような硬質な仕上層３を使用する場合、または押出コンクリートパネルのような硬質な下地層２を使用する場合には、予め仕上層３にビス孔を穿設し、それにタッピングビス等を挿入して外壁パネルを取り付ける。
【０００４】
上記の取付構造は、外壁パネル１の表面にパネル取付部材４の頭部７が露出、または陥没された状態となるので、その表面部分を後で補修する必要があり，そのための余計な手間とコストがかかる等の問題がある。また，表面部分を完ぺきに補修することは困難で、補修部分の仕上げ面に凹凸ができたり色むら等が生じて見苦しくなり、意匠性を損なうという問題もある。さらに，仕上層３としてタイル等を設けた化粧パネルを建物の壁取付部へ取り付ける際には、パネル取付部材４を打ち込む際の衝撃によって仕上層３に亀裂や剥がれを生じる等の思わぬ事態を招くこともあった。
【０００５】
本出願人はこのような問題を解決するため、先に外壁パネルの取付構造を提案した（特開平７−９０９５５）。この構造は目地部を形成する外壁パネルの小口面にそれぞれアンカーピンを挿入し、そのアンカーピンの先端部に設けた環状部にネジ部材を通してその先端部を壁取付部に固定するものである。
【０００６】
【発明が解決しようとする課題】
しかし上記提案された外壁パネルの取付構造は、外壁パネルの表面部分における後補修という問題は解決されているが、アンカーピンの挿入等の施工上の制約から取付部分毎にアンカーピンとビス部材を対向する小口面に個々に用意して挿入する必要があつた。また、ネジ部材で外壁パネルを壁取付部に固定し終わるまで、外壁パネルを作業者が支持しなければならないという従来からの問題は解決されていなかった。
【０００７】
そこで本発明はこのような問題を解決し、さらに構造が簡単で取付が容易な改良された外壁パネルの取付構造、および取付工法の提供を課題とするものである。
【０００８】
【課題を解決するための手段】
上記課題を解決する本発明における第１の発明は、
複数の外壁パネル１を目地部２０で建物の断面Ｃ型の壁取付部５に取り付ける構造において、掛合板１３と、その掛合板１３の中央部から垂直に延長され且つ該掛合板１３より高さが小さく、先端部にコ字型に折り返された取付部１７が設けられている連結部材１４とからなり、該連結部材１４から離れた掛合板１３中央部に貫通孔１５を設けてなる取付金具１１の前記連結部材１４のコ字型に折り返された取付部１７のコ字型の間に前記断面Ｃ型の壁取付部５の折返片を掛合し、且つ目地部２０を形成する外壁パネル１のそれぞれの小口面に対向して設けられたスリツト状の挿入溝１ａに前記取付金具１１の掛合板１３の両側部をそれぞれ挿入し、さらに前記取付金具１１の掛合板１３の貫通孔１５に頭部１８と該貫通孔１５に挿入できる軸部１９を有するパネル取付部材１２を挿入して前記掛合板１３を断面Ｃ型の壁取付部５に固定したことを特徴とする外壁パネルの取付構造、とするものである。
【０００９】
上記構造の好ましい実施態様においては、外壁パネルが下地層とその表面に設けた仕上層を有する化粧パネルであり、その下地層の小口面にスリツト状の挿入溝が設けられる。さらに好ましくは下地層は軽量気泡コンクリートパネルとされる。上記構造の他の好ましい実施態様においては、挿入溝に挿入される掛合板の両端部にそれぞれ厚さ方向に突出する突部が設けられる。
【００１０】
【００１１】
【００１２】
さらに、本発明における第２の発明は、
複数の外壁パネル１を目地部２０で建物の断面Ｃ型の壁取付部５に取り付ける工法において、掛合板１３と、その掛合板１３の中央部から垂直に延長され且つ該掛合板１３より高さが小さく、先端部にコ字型に折り返された取付部１７が設けられている連結部材１４とからなり、該連結部材１４から離れた掛合板１３中央部に貫通孔１５を設けてなる取付金具１１の前記連結部材１４のコ字型に折り返された取付部１７のコ字型の間に前記断面Ｃ型の壁取付部５の折返片を掛合し、先ず目地部２０を形成する一方の外壁パネル１の小口面に設けたスリツト状の挿入溝１ａに前記取付金具１１の掛合板１３の片側を挿入し、次いで前記目地部２０を形成する他方の外壁パネル１の小口面に設けたスリツト状の挿入溝１ａに掛合板１３の他側を挿入して仮取付し、次いで前記取付金具１１の掛合板１３の貫通孔１５に頭部１８と該貫通孔１５に挿入できる軸部１９を有するパネル取付部材１２を挿入して前記掛合板１３を断面Ｃ型の壁取付部５に固定することを特徴とする外壁パネルの取付工法とするものである。
【００１３】
【作用】
外壁パネルのそれぞれの小口面に設けたスリツト状の挿入溝に掛合板の両側部がそれぞれ挿入され、その掛合板の中央部から垂直に延長された連結部材の先端部のコ字型に折り返された取付部がそのコ字型の間に断面Ｃ型の壁取付部の折返片を掛合して壁取付部に連結され、さらに掛合板と壁取付部をパネル取付部材で固定したことにより外壁パネルが建物の壁取付部に取り付けられる。
【００１４】
そのため外壁パネルの表面部分の後補修等を必要とせず、仕上層を設けた場合にもその表面の意匠性を損なうことがない。
【００１５】
対向する小口面にそれぞれ設けたスリツト状の挿入溝に掛合板の両側部を挿入するようにしたので、それら挿入溝の位置が完全に一致しなくても、板のバネ特性を利用して掛合板の両側部をそれら挿入溝に容易に挿入することができる。
【００１６】
さらに、連結部材で建物の壁取付部に連結した掛合板を外壁パネルの挿入溝に挿入することにより、外壁パネルを壁取付部に仮取付することができ、そのためパネル取付部材で外壁パネルを完全に壁取付部に取り付けるまでの間、作業者は外壁パネルを支持しなくてもよい。取付金具は連結部材の先端部コ字型に折り返された取付部をそのコ字型の間に前記断面Ｃ型の壁取付部５の折返片を掛合することにより連結されているため、仮取付の間、取付金具１１を移動して微調整可能であり、容易に外壁パネル１の位置を正確に再調整できる。
【００１７】
【実施例】
次に図面により本発明の実施例を説明する。図１は本発明の外壁パネルの取付構造の１例を完成させる途中を示す斜視図、図２はそれに使用する取付具の拡大斜視図、図３は図１のようにして取り付けられた外壁パネルの取付構造の要部の側面から見た拡大断面図、図４は同じく平面から見た拡大断面図である。
【００１８】
これらの図において、図７、図６と同じ部分には同一符号が付されている。外壁パネル１は薄物の軽量気泡コンクリートパネルのような下地層２と、その表面に設けられた塗装材等の仕上層３を有する化粧パネルとされ、この外壁パネル１が取付具１０によりリップ溝形鋼などの胴縁からなる建物の断面Ｃ型の壁取付部５に取り付けられる。なおこの例では縦長に配置された外壁パネル１毎に壁取付部５が上下に４列設けられている。
【００１９】
取付具１０は図２に示すように、取付金具１１とパネル取付部材１２により構成されている。取付金具１１は比較的薄い金属製の板材、例えば厚さ０．８ｍｍ〜１ｍｍの鋼板で作られた掛合板１３と、その掛合板１３の中央部から垂直に延長され，掛合板１３より高さの小さい連結部材１４を備えている。連結部材１４は掛合板１３と同様な薄い金属製の板材により作られて溶接等で掛合板１３に固着される。しかしこの連結部材１４は棒状などであってもよい。さらに連結部材１４が設けられた位置から所定間隔離れた上方における掛合板１３の中央部に貫通孔１５が設けられている。
【００２０】
掛合板１３の端部はそれぞれ折り曲げられて厚さ方向へ突出する突部１６が形成されている。この折り曲げ角度は例えば９０度〜１８０度の間、好ましくは１２０度〜１５０度程度とされる。また突部１６は図示のように端部の全長に突条として設ける以外に、端部の少なくとも一箇所、例えば上下端部と中間部の３箇所に短い突起として設けてもよい。
【００２１】
連結部材１４の先端部には建物の断面Ｃ型の壁取付部への連結部分が設けられ、コ字型に折り返された取付部１７が設けられている。パネル取付部材１２は頭部１８と前記貫通孔１５に挿入可能な軸部１９を有し、その軸部１９の先端部には外ネジが形成されている。なおこの例ではパネル取付部材１２として軸部１９の先端部分にドリル部１９ａを設けたセルフタッピングビスが用いられている。
【００２２】
図３は、外壁パネル１を図２に示す取付具１０を使用し、図１のようにして壁取付部５に取り付けた状態を側面から見た部分拡大断面図で、さらに図４はそれを平面から見た部分拡大断面図である。これらの図において、目地部２０を形成する一対の外壁パネル１の小口面に（この例ではその下地層２の小口面に）スリット状の挿入溝１ａが設けられている。挿入溝１ａは図１に示すように、目地部２０を形成する下地層２の各小口面に沿ってそれぞれ設けられ、複数の外壁パネル１を壁取付部５に取り付けた状態で目地部２０において一方の下地層２の挿入溝１ａと他方の下地層２の挿入溝１ａが対向配置するようになっている。なおこのような挿入溝１ａは外壁パネル１を製造する際、または取付現場加工により形成することができる。
【００２３】
上記のようにして対向配置された一方の下地層２の挿入溝１ａと他方の下地層２の挿入溝１ａに、掛合板１３の両側部がそれぞれ挿入され、さらに連結部材１４の先端部に設けた取付部１７が断面Ｃ型の壁取付部５における片方の折返片５ａに掛合することにより、取付金具１１の下部が壁取付部５に固定されている。そして掛合板１３に設けた貫通孔１５にパネル取付部材１２の軸部１９が挿入され、その先端部が壁取付部５にねじ込まれることにより、取付金具１１の上部がパネル取付部材１２で壁取付部５に固定されている。このような取付具１０による固定は、図１に示すように一つの目地部２０に沿って各壁取付部５の数だけ上下に複数行われる。
【００２４】
なお、パネル取付部材１２の本数は図２のように１本でも充分であるが、取付１箇所あたりに加わる風荷重等により２本以上とすることもできる。その場合には取付金具１１の貫通孔１５の数もそれに応じて設けられる。次に図１なしい図４を参照して外壁パネル１を建物の壁取付部５に取り付ける取付工法手順を説明する。
【００２５】
先ず各列の壁取付部５毎に取付金具１１を連結する（すなわちその取付部１７を壁取付部５の折返片５ａに掛合することにより連結する）。次に目地部２０を形成する一方の外壁パネル１をその小口面に設けた挿入溝１ａに取付金具１１の掛合板１３の片側を挿入することにより壁取付部５に仮に取り付ける。次いで他方の外壁パネル１をその小口面に設けた挿入溝１ａに前記掛合板１３の他側を挿入することにより壁取付部５に仮に取り付ける。その際、対向する挿入溝１ａの位置が多少ずれていても、掛合板１３はその可撓性もしくはバネ作用により容易に挿入することができる。
【００２６】
次いで外壁パネル１の位置を正確に再調整してから、掛合板１３の貫通孔１５にパネル取付部材１２の軸部１９を挿入し、その先端部を壁取付部５にねじ込んで固定すると共に、その頭部１８を掛合板１３に掛合してそれを壁取付部５の方向へ押しつけることにより、目地部２０における各外壁パネル１は壁取付部５に固定される。このようにして外壁パネルの施工を行う場合に、壁面のそれぞれのパネルの目地が精度よく通ってることが求められるが、パネル自体の寸法精度、壁取付部（壁下地材）の取付精度、あるいは施工技能の良否などに影響されやすい。これらの条件によっては、何枚かのパネルを取付けた後、目地通りが悪いことがわかり、張り直しや張り替えが生じることもあるが、仮取付が容易にできるため、それぞれのパネルの寸法状態（精度）や既に取付が完了している下の列のパネル目地との関係などを確認でき、パネルの位置決めがしやすく、取付金具１１は連結部材１４のコ字型に折り返された取付部１７をそのコ字型の間に前記断面Ｃ型の壁取付部５の折返片を掛合することにより連結されているため、取付金具１１を移動して微調整可能であり、容易に外壁パネル１の位置を正確に再調整できる。
【００２７】
掛合板１３の両端部には突部１６が設けられているので、上記のようにパネル取付部材１２で壁取付部５の方向へ押しつけると、突部１６の先端が支持点となって挿入溝１ａの内壁面に押しつけられ、もしくは食い込み、その摩擦作用により掛合板１３の抜けを抑制すると共に、その上下方向の移動を有効に拘束することができる。さらにその支持点間のバネ作用により、例え挿入溝１ａの位置が完全に一致していない場合であつても、そのバラツキを吸収して掛合板１３の押圧力を双方の外壁パネル１に均等に加えることができる。このように挿入溝１ａの入口ではなく奥の部分において突起１６で外壁パネル１を支持するので、軽量気泡コンクリートパネルのような比較的軟質なパネルであつても、掛合板１３による貫通孔１５の入口部の損傷が生じるようなこともなく、高い取付強度が得られる。
【００２８】
図５は本発明に使用できる取付金具１１の他の例を示す斜視図である。この例図２と異なる部分は、連結部材１４の先端部にコ字型に折り返された取付部１７が連結部材１４の本体に平行ではなく直角に折り曲げられている点であり、そのほかは同一である。このように取付部１７を直角に折り曲げることにより、断面Ｃ型の壁取付部５の折返片５ａに安定な姿勢で確実に取り付けることができ、外壁パネルを取り付ける過程で取付金具１１が回転することもない。そのため一方の外壁パネル１の小口面を複数の取付金具１１に取り付けた状態で他方の外壁パネル１の小口面をそれら複数の取付金具１１に取り付けることが極めて容易になる。
【００２９】
【００３０】
以上の説明では、外壁パネルの下地層を軽量気泡コンクリートパネルとしたものに本発明を適用しているが、軽量気泡コンクリートパネル単独で構成された外壁パネル、または木毛セメントパネル、木片セメントパネル、または木製パネル等の外壁パネルにも本発明は適用できる。さらに本発明は比較的厚さの薄い軽量発泡コンクリートパネルの下地層の表面に、例えばタイルや石などの硬質の仕上層を設けた化粧パネルにも好適に適用することができる。
【００３１】
また、パネル取付部材としてボルトとナットの組み合わせを使用することもできる。
【００３２】
【発明の効果】
以上のように本発明によれば、意匠性を損なうことがなく、構造が簡単で取付けが容易な改良された外壁パネルの取付構造、および取付工法が提供される。
【００３３】
すなわち外壁パネルの表面部分の後補修等を必要とせず、仕上層を設けた場合にもその表面の意匠性を損なうことがない。
【００３４】
対向する小口面にそれぞれ設けたスリツト状の挿入溝に掛合板の両側部を挿入するようにしたので、それら挿入溝の位置が完全に一致しなくても、板のバネ特性を利用して掛合板の両側部をそれら挿入溝内に容易に挿入することができる。
【００３５】
さらに、連結部材により建物の壁取付部に連結した掛合板を外壁パネルの挿入溝に挿入することにより、外壁パネルを壁取付部に仮取付することができ、そのためパネル取付部材で外壁パネルを完全に壁取付部に取り付けるまでの間、作業者は外壁パネルを支持しなくてもよい。取付金具は連結部材の先端部コ字型に折り返された取付部をそのコ字型の間に前記断面Ｃ型の壁取付部の折返片を掛合することにより連結されているため、仮取付の間、取付金具を移動して微調整可能であり、容易に外壁パネルの位置を正確に再調整できる。
【図面の簡単な説明】
【図１】本発明の外壁パネルの取付構造の１例を完成させる途中を示す斜視図。
【図２】図１の取り付けに使用される取付具の１例を示す斜視図。
【図３】図１のようにして取り付けられた取付構造を側面から見た部分拡大断面図。
【図４】図１のようにして取り付けられた取付構造を平面から見た部分拡大断面図。
【図５】図１の取り付けに使用される取付具の他の例を示す斜視図。
【図６】図７の取付構造の部分拡大断面図。
【図７】従来の外壁パネルの取付構造の１例を示す斜視図。
【符号の説明】
１ 外壁パネル
１ａ 目地部
２ 下地層
３ 仕上層
４ パネル取付部材
５ 壁取付部
１０ 挿入溝
１１ 取付金具
１２ パネル取付部材
１３ 掛合板
１４ 連結部材
１５ 貫通孔
１６ 突部
１７ 取付部
１７ａ 取付板
１７ｂ 長円
１７ｃ 取付部材
１８ 頭部
１９ 軸部
１９ａ ドリル部
２０ 目地部
【図１】
0003659699.tif 000002
【図２】
0003659699.tif 000003
【図３】
0003659699.tif 000004
【図４】
0003659699.tif 000005
【図５】
0003659699.tif 000006
【図６】
0003659699.tif 000007
【図７】
0003659699.tif 000008